(57)【要約】【課題】  断熱性を維持し、黴や細菌等の発生を防止して衛生面の維持を図れるようにした断熱窓枠を提供すること。【解決手段】  構造物を構成する断熱性を有するパネル２に設けられた開口部３に嵌合されて、窓であるガラスＧを支持する窓枠１を、抗菌剤を添加した合成樹脂製材料によって形成する。窓枠１は、パネルに設けられた開口部における外側面４に接触してガラスの外方側を支持する方形枠状の外フレーム材１０と、開口部における内側面５及び開口面６に接触して外フレーム材を支持する方形枠状の内フレーム材２０と、それぞれ外フレーム材に係合してガラスの内方側を支持する縦押し縁材３０及び横押し縁材４０とで構成する。【選択図】    図２
2005320798.tif 000002
【特許請求の範囲】
【請求項１】
構造物を構成する断熱性を有するパネルに設けられた開口部に嵌合されて、ガラス又は合成樹脂製の窓を支持する窓枠であって、
上記窓枠は、抗菌剤を添加した合成樹脂製材料によって形成される、ことを特徴とする断熱窓枠。
【請求項２】
請求項１記載の断熱窓枠において、
上記窓枠は、パネルに設けられた開口部における一側面に接触して窓の外方側を支持する方形枠状の外フレーム材と、上記開口部における他側面及び開口面に接触して上記外フレーム材を支持する方形枠状の内フレーム材と、それぞれ上記外フレーム材に係合して上記窓の内方側を支持する縦押し縁材及び横押し縁材とからなる、ことを特徴とする断熱窓枠。
【請求項３】
請求項２記載の断熱窓枠において、
上記外フレーム材は、開口部における一側面に接触する方形基部と、この方形基部の一端から上記開口部の内方側に傾斜状に延在して窓の外方面を支持する外方支持部と、上記方形基部から直交状に延在され、一部が上記開口部の開口面に接触し、上記窓の端部を支持する内方支持部と、上記内方支持部に設けられ、縦押し縁材及び横押し縁材が係合可能な第１及び第２の係合部とを具備し、
上記内フレーム材は、上記開口部における他側面に接触する方形基部と、この方形基部の一端から直交状に延在されて上記開口部の開口面に接触すると共に、上記外フレーム材の内方支持部を支持する方形支持部とを具備し、
上記縦押し縁材及び横押し縁材は、それぞれ上記外フレーム材に設けられた第１の係合部に係合する第１の係止爪部と、上記第２の係合部に係合する第２の係止爪部とを具備する、ことを特徴とする断熱窓枠。
【発明の詳細な説明】
【技術分野】
【０００１】
この発明は、断熱窓枠に関するもので、更に詳細には、例えば工場又は貯蔵設備、特に食品工場等の構造物を構成する断熱性を有するパネルに設けられた開口部に嵌合されて、ガラス又は合成樹脂製の窓を支持する断熱窓枠に関するものである。
【背景技術】
【０００２】
例えば、食品の加工又は貯蔵に関わる設備においては、設備内の温度管理のために高い断熱性が要求される。そのため、設備内は例えば２枚の金属板の間に発泡断熱材を注入・充填させた断熱パネルからなる構造となっている。
【０００３】
設備内のパネルには、開口部をもち、ガラス又は合成樹脂製の窓を有するものがあるが、この窓枠を一般に用いられるようなアルミニウム等の金属製にすると、窓枠自体が断熱漏れの原因となる。この窓枠からの断熱漏れを防ぐには、窓枠を金属製ではなく合成樹脂製とする方法が採られている（例えば、特許文献１参照）。
【０００４】
上記合成樹脂製の窓枠によれば、アルミニウム合金製の窓枠に比べて高い断熱性が得られる。
【特許文献１】実開平５−３２６７８号（実用新案登録請求の範囲、図１、図２）
【発明の開示】
【発明が解決しようとする課題】
【０００５】
しかしながら、実開平５−３２６７８号に記載の合成樹脂製窓枠は、中空構造の窓枠材同士を例えば熱溶着により接合して窓枠を構成しているため、金属製の窓枠に比べて傷や割れが生じやすい。また、窓と窓枠、窓枠とパネル（壁部）の間には隙間が生じやすい上、窓枠が複数の部材からなるので、その接合部にも隙間が生じる。したがって、このような隙間には塵や埃が溜まりやすく、黴や細菌の温床となり、衛生状態を悪化させるという問題があった。この問題は、特に衛生面で厳しい管理を行わなければならない食品工場の設備においては非常に深刻な問題となっている。
【０００６】
この発明は、上記事情に鑑みてなされたもので、断熱性を維持し、黴や細菌等の発生を防止して衛生面の維持を図れるようにした断熱窓枠を提供することを目的とするものである。
【課題を解決するための手段】
【０００７】
上記課題を解決するために、請求項１記載の発明は、構造物を構成する断熱性を有するパネルに設けられた開口部に嵌合されて、ガラス又は合成樹脂製の窓を支持する窓枠であって、  上記窓枠は、抗菌剤を添加した合成樹脂製材料によって形成される、ことを特徴とする。
【０００８】
請求項２記載の発明は、請求項１記載の断熱窓枠において、  上記窓枠は、パネルに設けられた開口部における一側面に接触して窓の外方側を支持する方形枠状の外フレーム材と、上記開口部における他側面及び開口面に接触して上記外フレーム材を支持する方形枠状の内フレーム材と、それぞれ上記外フレーム材に係合して上記窓の内方側を支持する縦押し縁材及び横押し縁材とからなる、ことを特徴とする。
【０００９】
請求項３記載の発明は、請求項２記載の断熱窓枠において、  上記外フレーム材は、開口部における一側面に接触する方形基部と、この方形基部の一端から上記開口部の内方側に傾斜状に延在して窓の外方面を支持する外方支持部と、上記方形基部から直交状に延在され、一部が上記開口部の開口面に接触し、上記窓の端部を支持する内方支持部と、上記内方支持部に設けられ、縦押し縁材及び横押し縁材が係合可能な第１及び第２の係合部とを具備し、  上記内フレーム材は、上記開口部における他側面に接触する方形基部と、この方形基部の一端から直交状に延在されて上記開口部の開口面に接触すると共に、上記外フレーム材の内方支持部を支持する方形支持部とを具備し、  上記縦押し縁材及び横押し縁材は、それぞれ上記外フレーム材に設けられた第１の係合部に係合する第１の係止爪部と、上記第２の係合部に係合する第２の係止爪部とを具備する、ことを特徴とする。
【発明の効果】
【００１０】
この発明によれば、上記のように構成されているので、以下のような効果が得られる。
【００１１】
（１）請求項１記載の発明によれば、構造物を構成する断熱性を有するパネルに設けられた開口部に嵌合されて、ガラス又は合成樹脂製の窓を支持する断熱窓枠を、抗菌剤を添加した合成樹脂製材料によって形成することにより、窓枠自体に生じた傷や割れ、隙間等の箇所においても黴や細菌等の発生を防止することができるので、断熱性を低下させることなく、衛生面の維持を図ることができる。
【００１２】
（２）請求項２記載の発明によれば、窓を設置する開口部に、内フレーム材を嵌合し、外フレーム材を嵌合した後、窓を内外フレーム材に嵌合し、縦押し縁材及び横押し縁材を嵌合して、窓を支持固定することができるので、上記（１）に加えて更に開口部への窓の取付作業を容易かつ確実にすることができる。
【００１３】
（３）請求項３記載の発明によれば、外フレーム材は、開口部における一側面に接触する方形基部と、この方形基部の一端から上記開口部の内方側に傾斜状に延在して窓の外方面を支持する外方支持部と、方形基部から直交状に延在され、一部が開口部の開口面に接触し、窓の端部を支持する内方支持部と、内方支持部に設けられ、縦押し縁材及び横押し縁材が係合可能な第１及び第２の係合部とを具備し、内フレーム材は、開口部における他側面に接触する方形基部と、この方形基部の一端から直交状に延在されて開口部の開口面に接触すると共に、外フレーム材の内方支持部を支持する方形支持部とを具備し、縦押し縁材及び横押し縁材は、それぞれ外フレーム材に設けられた第１の係合部に係合する第１の係止爪部と、第２の係合部に係合する第２の係止爪部とを具備するので、上記（２）に加えて更に開口部への窓の取付作業を容易かつ確実にすることができる。
【発明を実施するための最良の形態】
【００１４】
以下に、この発明に係る断熱窓枠の最良の実施形態を添付図面に基づいて詳細に説明する。ここでは、食品工場の設備等の構造物を構成する断熱パネルに設けられた開口部に、例えばガラスにて形成される窓を支持し固定する断熱窓枠について説明する。
【００１５】
図１は、この発明に係る断熱窓枠の使用状態を示す正面図、図２は、図１のＩ−Ｉ線に沿う断面図、図３は、図１のII−II線に沿う断面図である。
【００１６】
上記窓枠１は、パネル２に設けられた開口部３における一側面４（以下に外側面４という）に接触して窓であるガラスＧの外方側を支持する方形枠状の外フレーム材１０と、開口部３における他側面５（以下に内側面５という）及び開口面６に接触して外フレーム材１０を支持する方形枠状の内フレーム材２０と、それぞれ外フレーム材１０に係合してガラスＧの内方側を支持する２個の縦押し縁材３０及び２個の横押し縁材４０とで構成されている。なお、外フレーム材１０と内フレーム材２０は、ビス７によって固定されている。
【００１７】
この場合、上記外フレーム材１０、内フレーム材２０、縦押し縁材３０及び横押し縁材４０は、それぞれ抗菌剤を添加した例えば硬質塩化ビニル等の合成樹脂製材料によって形成されている。
【００１８】
上記パネル２は、図２及び図３に示すように、一対の例えばアルミニウム合金製の表面板２ａと、両表面板２ａ間に介在される例えば発泡ウレタンフォームやハニカムコア等の心材２ｂ（図面では発泡ウレタンフォームを示す）とによって形成されている。また、ガラスＧは、辺部間にパッキンＰを介在した二重ガラスによって形成されている。
【００１９】
上記外フレーム材１０は、図１ないし図４に示すように、開口部３における外側面４に接触する方形基部１１と、この方形基部１１の一端から開口部３の内方側に傾斜状に延在してガラスＧの外方面を支持する外方支持部１２と、方形基部１１から直交状に延在され、一部が開口部３の開口面６に接触し、ガラスＧの端部すなわち辺部を支持する内方支持部１３と、内方支持部１３に設けられ、縦押し縁材３０及び横押し縁材４０が係合可能な第１の係合部１４及び第２の係合部１５とを具備している。この場合、内方支持部１３は、方形基部１１から略クランク状に延在する基片１６と、この基片１６の中央部から直交方向に略Ｔ字状に起立する支持片１７と、この支持片１７の開口部３の他端面側の側部に形成される溝状の第１の係合部１４と、基片１６の先端部から開口部３の内方側に起立すると共に、開口部３の内方側に向かって狭小テーパ面を有する第２の係合部１５とを具備している（図４（ｃ）参照）。
【００２０】
上記内フレーム材２０は、図１ないし図３及び図５に示すように、開口部３における内側面５に接触する方形基部２１と、この方形基部２１の一端から直交状に延在されて開口部３の開口面６に接触すると共に、外フレーム材１０の内方支持部１３（具体的には基片１６）を支持する方形支持部２２とを具備する断面略アングル状に形成されている。
【００２１】
上記縦押し縁材３０は、図２及び図６に示すように、一端がガラスＧの内方側面に接触して支持する断面略アングル状の基部３１と、この基部３１のガラス支持側端部の内方から傾斜状に延在して、外フレーム材１０に設けられた第１の係合部１４に係合する第１の係止爪部３２と、基部３１の他端に起立して、外フレーム材１０に設けられた第２の係合部１５に係合する第２の係止爪部３３とを具備している。
【００２２】
また、上記横押し縁材４０は、図３及び図７に示すように、断面略Ｙ字状に形成される基部４１と、この基部４１の各先端部にそれぞれガラスＧの内方側面に接触して支持する支持片４２、外フレーム材１０に設けられた第１の係合部１４に係合する第１の係止爪部４３及び外フレーム材１０に設けられた第２の係合部１５に係合する第２の係止爪部４４を具備している。
【００２３】
次に、この発明に係る断熱窓枠１を用いてガラスＧを支持固定する手順について、図８を参照して説明する。
【００２４】
まず、ガラスＧを設置するパネル２の内側面５に接触させるようにして開口部３の開口面６に、内フレーム材２０を嵌め込む（嵌合する）｛図８（ａ）参照｝。次に、パネル２の外側面４に接触させるようにして開口部３の開口面６に、外フレーム材１０を嵌め込む（嵌合する）｛図８（ｂ）参照｝。この状態で、ビス７によって外フレーム材１０と内フレーム材２０を固定する。
【００２５】
次に、ガラスＧの外方側面を外フレーム材１０に接触させると共に、ガラスＧの端部（辺部）を外フレーム材１０の内方支持部１３に接触するようにして、内外フレーム材１０，２０に嵌め込む（嵌合する）｛図８（ｃ）参照｝。
【００２６】
ガラスＧを嵌合した後、２個の縦押し縁材３０のうちの一方を、外フレーム材１０に設けられた第１の係合部１４に第１の係止爪部３２を係合させると共に、外フレーム材１０に設けられた第２の係合部１５に第２の係止爪部３３を係合させて、縦押し縁材３０によってガラスＧの内方側面の一側部を支持する。次いで、他方の縦押し縁材３０を同様に、外フレーム材１０に設けられた第１の係合部１４に第１の係止爪部３２を係合させると共に、外フレーム材１０に設けられた第２の係合部１５に第２の係止爪部３３を係合させて、縦押し縁材３０によってガラスＧの内方側面の他側部を支持する｛図８（ｄ）参照｝。この際、第１及び第２の係合部１４，１５と第１及び第２の係止爪部３２，３３は、共に弾性変形するので、縦押し縁材３０の取付（嵌合）を容易かつ確実にすることができる。
【００２７】
縦押し縁材３０を取り付けた後、２個の横押し縁材４０のうちの一方を、外フレーム材１０に設けられた第１の係合部１４に第１の係止爪部４３を係合させると共に、外フレーム材１０に設けられた第２の係合部１５に第２の係止爪部４４を係合させて、横押し縁材４０によってガラスＧの内方側面の上又は下側部を支持する。次いで、他方の横押し縁材４０を同様に、外フレーム材１０に設けられた第１の係合部１４に第１の係止爪部４３を係合させると共に、外フレーム材１０に設けられた第２の係合部１５に第２の係止爪部４４を係合させて、横押し縁材４０によってガラスＧの内方側面の下又は上側部を支持する｛図８（ｅ）参照｝。この際、第１及び第２の係合部１４，１５と第１及び第２の係止爪部４３，４４は、共に弾性変形するので、横押し縁材４０の取付（嵌合）を容易かつ確実にすることができる。
【００２８】
なお、ガラスＧと外フレーム材１０との接触部及びガラスＧと縦押し縁材３０及び横押し縁材４０との接触部には、それぞれシール材Ｓが充填されている（図２及び図３参照）。
【００２９】
上記のようにして組み立てられた窓構造によれば、断熱性を有するパネル２に設けられた開口部３に嵌合されてガラスＧを支持する窓枠１が、それぞれ抗菌剤を添加した合成樹脂製材料によって形成される外フレーム材１０、内フレーム材２０、縦押し縁材３０及び横押し縁材４０によって構成されているので、断熱性維持を図ることができると共に、窓枠自体に生じた傷や割れ、隙間等の箇所においても黴や細菌等の発生を防止することができ、衛生面の維持を図ることができる。
【００３０】
なお、上記実施形態では、この発明に係る窓枠が食品工場の設備等の構造物に適用される場合について説明したが、食品工場の設備以外の例えば冷蔵庫、保冷庫あるいはクリーンルーム等の断熱性を有する構造物においても適用できることは勿論である。
【図面の簡単な説明】
【００３１】
【図１】この発明に係る断熱窓枠の使用状態を示す概略正面図である。
【図２】図１のＩ−Ｉ線に沿う断面図である。
【図３】図１のII−II線に沿う断面図である。
【図４】この発明における外フレーム材の正面図（ａ）、横断面図（ｂ）及び要部拡大端面図（ｃ）である。
【図５】この発明における内フレーム材の正面図（ａ）及び横断面図（ｂ）である。
【図６】この発明における縦押し縁材の正面図（ａ）、拡大平面図（ｂ）及び要部斜視図（ｃ）である。
【図７】この発明における横押し縁材の正面図（ａ）、拡大側面図（ｂ）及び要部斜視図（ｃ）である。
【図８】この発明に係る窓枠を用いてガラスを取り付ける手順を示す概略断面図である。
【符号の説明】
【００３２】
Ｇ  ガラス（窓）
１  窓枠
２  パネル
３  開口部
４  外側面（一側面）
５  内側面（他側面）
６  開口面
１０  外フレーム材
１１  方形基部
１２  外方支持部
１３  内方支持部
１４  第１の係合部
１５  第２の係合部
２０  内フレーム材
２１  方形基部
２２  内方支持部
３０  縦押し縁材
３２  第１の係止爪部
３３  第２の係止爪部
４０  横押し縁材
４３  第１の係止爪部
４４  第２の係止爪部
【図１】
2005320798.tif 000003
【図２】
2005320798.tif 000004
【図３】
2005320798.tif 000005
【図４】
2005320798.tif 000006
【図５】
2005320798.tif 000007
【図６】
2005320798.tif 000008
【図７】
2005320798.tif 000009
【図８】
2005320798.tif 000010